(57)【特許請求の範囲】
【請求項１】
第１のウェビングの係合部と選択的に係合するよう構成された連結部分と；
第２のウェビングと係合するよう構成された滑動部と；
第２のウェビングを前記滑動部に選択的に締め付けるよう構成された固定部材であって、概ね長円形の通路を有する固定部材と；
カムノブであって、前記固定部材の長円形の通路に収容されるよう構成された概ね長円形の部分を有するカムノブとを具えるバックルにおいて、前記カムノブの回転が前記固定部材の長円形の通路における前記長円形の部分を回転させ、その結果、前記固定部材が前記第２のウェビングを前記滑動部に選択的に締め付けることを特徴とするバックル。
【請求項２】
請求項１に記載のバックルにおいて、前記第１のウェビングの係合部が留め具であり、当該バックルの前記連結部分がさらに：
第１の歯止めと；
第２の歯止めとを具え、前記第１および第２の歯止めは前記留め具の肩部と選択的に係合するよう構成されていることを特徴とするバックル。
【請求項３】
請求項２に記載のバックルがさらに：
第１のプレートと；
前記第１のプレートに連結された第２のプレートとを具え、前記第１および第２の歯止めは前記第１および第２のプレートの間に挟まれ、前記第１および第２の歯止めはさらに前記第１および第２のプレートに回動するよう連結されることを特徴とするバックル。
【請求項４】
請求項３に記載のバックルにおいて、前記第１のプレートが第１の開口部を有し、前記第２のプレートが第２の開口部を有しており、前記滑動部の中間部分が前記第１および第２の開口部を通ってアクセスできることを特徴とするバックル。
【請求項５】
請求項４に記載のバックルにおいて、前記固定部材が第１の部分と第２の部分を有し、前記第１の部分および前記第２の部分はＬ字型の形状であることを特徴とするバックル。
【請求項６】
請求項５に記載のバックルにおいて、前記固定部材の前記第２の部分が、前記第１のプレートの前記第１の開口部に収容されることを特徴とするバックル。
【請求項７】
請求項６に記載のバックルがさらに：
概ね長円形の通路を有する前記固定部材の前記第１の部分と；
前記固定部材の前記第１の部分の長円形の通路に収容される前記カムノブの概ね長円形の作動部分とを有しており、前記カムノブの回転が前記固定部材の前記第１の部分の長円形の通路における前記概ね長円形の作動部分を回転させて、その結果、前記固定部材を動作させることを特徴とするバックル。
【請求項８】
請求項７に記載のバックルがさらに：
連結穴を有する前記第１のプレートと；
前記概ね長円形の作動部分から延在している連結部分をさらに有する前記カムノブであって、前記連結部分は前記第１のプレートの前記連結穴を通って延在しているカムノブと；
前記カムノブの前記連結部分に連結され、前記カムノブを前記第１のプレートに回動するよう連結するファスナとを具えることを特徴とするバックル。
【請求項９】
第１の開口部を有する第１のプレートと；
第２の開口部を有する第２のプレートとを具え、前記第１のプレートは前記第２のプレートに連結されており；
滑動部の中間部分が前記第１のプレートの第１の開口部および前記第２のプレートの第２の開口部に位置するように前記第１および第２のプレートの間に連結された滑動部であって、当該滑動部の中間部分はウェビングと係合するよう構成されている滑動部と；
前記第１のプレートと摺動可能に係合している固定部材であって、前記滑動部の中間部分上の前記ウェビングと選択的に係合して前記ウェビングを前記滑動部に選択的に固定するよう構成され、概ね長円形の通路を有する固定部材と；
カムノブであって、前記固定部材の長円形の通路に収容されるよう構成された概ね長円形の部分を有するカムノブとを具える連結システムにおいて、前記カムノブの回転が前記固定部材の長円形の通路における前記長円形の部分を回転させ、その結果、前記固定部材が前記第２のウェビングを前記滑動部に選択的に締め付けることを特徴とする連結システム。
【請求項１０】
請求項９に記載の連結システムにおいて、前記固定部材が第１の部分と第２の部分を有するＬ字型であり、前記第１の部分は前記第１のプレートと摺動可能に係合し、前記第２の部分は前記第１のプレートの第１の開口部に収容され、前記固定部材の前記第２の部分はさらに前記滑動部の中間部分上の前記ウェビングと選択的に係合し、前記固定部材の前記第１の部分は概ね長円形の通路を有することを特徴とする連結システム。
【請求項１１】
請求項１０に記載の連結システムがさらに：
前記固定部材の前記第１の部分の長円形の通路に収容されるよう構成された前記カムノブの概ね長円形の部分を有しており、前記カムノブの回転が前記固定部材の前記第１の部分の長円形の通路における前記概ね長円形の部分を回転させ、その結果、前記固定部材を前記第１のプレートに対して摺動して移動させることを特徴とする連結システム。
【請求項１２】
請求項１１に記載の連結システムにおいて、前記カムノブがさらに、前記概ね長円形の部分から延在している連結部分を有し、前記カムノブの前記連結部分は前記第１のプレートの連結穴を通って延在しており；
前記カムノブの前記連結部分に連結され、前記カムノブを前記第１のプレートに回動するよう連結するファスナを有することを特徴とする連結システム。
【請求項１３】
請求項９に記載の連結システムがさらに：
留め具であって、肩部を有する留め具と；
前記第１および第２のプレートの間で回動するよう連結された少なくとも１の歯止めとを具えており、前記少なくとも１の歯止めは、前記留め具の肩部と係合することによって前記第１および第２のプレート内に前記留め具を選択的に保持するよう構成されていることを特徴とする連結システム。
【請求項１４】
請求項１３に記載の連結システムがさらに：
少なくとも１の付勢部材を具えており、前記少なくとも１の付勢部材は前記少なくとも１の歯止めと前記第１のプレートの一部の間に配置され、前記少なくとも１の歯止めを付勢して前記留め具を保持することを特徴とする連結システム。
【請求項１５】
ユーザの身体の一部と係合するよう構成されたウェビングと；
選択したウェビングを共に連結し、ハーネスに前記ユーザを固定するよう構成された少なくとも１のバックルシステムとを具える安全ハーネスにおいて、前記少なくとも１のバックルシステムが、
肩部を有する留め具であって、関連する第１のウェビングに連結される留め具と、
バックルとを具えており、前記バックルが、
第１の開口部を有する第１のプレートと；
第２の開口部を有する第２のプレートとを具え、前記第１のプレートは前記第２のプレートに連結されており、
滑動部の中間部分が前記第１のプレートの第１の開口部および前記第２のプレートの第２の開口部に位置するように前記第１および第２のプレートの間に連結された滑動部であって、当該滑動部の中間部分は関連する第２のウェビングと係合するよう構成されている滑動部と、
前記第１のプレートと摺動可能に係合している固定部材であって、前記滑動部の中間部分上の前記関連する第２のウェビングと選択的に係合するよう構成され、概ね長円形の通路を有する固定部材と；
カムノブであって、前記固定部材の長円形の通路に収容されるよう構成された概ね長円形の部分を有するカムノブとを具えており、前記カムノブの回転が前記固定部材の長円形の通路における前記長円形の部分を回転させ、その結果、前記固定部材が前記第２のウェビングを前記滑動部の中間部分に選択的に締め付けることを特徴とする安全ハーネス。
【請求項１６】
請求項１５に記載の安全ハーネスにおいて、前記少なくとも１のハーネスシステムの前記バックルがさらに：
前記第１および第２のプレートの間に回動するよう連結された少なくとも１の歯止めを具えており、前記少なくとも１の歯止めは前記留め具の肩部と係合することによって前記第１および第２のプレート内に前記留め具を選択的に保持するよう構成されていることを特徴とする安全ハーネス。
【請求項１７】
請求項１６に記載の安全ハーネスがさらに：
少なくとも１の付勢部材を具えており、前記少なくとも１の付勢部材は前記少なくとも１の歯止めと前記第１のプレートの一部の間に配置され、各歯止めを付勢して前記留め具を保持することを特徴とする安全ハーネス。
【請求項１８】
請求項１５に記載の安全ハーネスにおいて、前記固定部材が第１の部分と第２の部分を有するＬ字型であり、前記第１の部分は前記第１のプレートと摺動可能に係合し、前記第２の部分は前記第１のプレートの第１の開口部に収容され、前記第２の部分はさらに前記滑動部の中間部分上の前記関連する第２のウェビングと選択的に係合することを特徴とする安全ハーネス。
【請求項１９】
請求項１８に記載の安全ハーネスがさらに：
前記固定部材の第１の部分の長円形の通路に収容されるよう構成された前記カムノブの概ね長円形の部分を有しており、前記カムノブの回転が前記固定部材の前記第１の部分の長円形の通路における前記長円形の部分を回転させ、その結果、前記固定部材を前記第１のプレートに対して移動させることを特徴とする安全ハーネス。
【請求項２０】
請求項１９に記載の安全ハーネスにおいて、前記カムノブがさらに、前記長円形の部分から延在している連結部分を有し、前記カムノブの前記連結部分は前記第１のプレートの連結穴を通って延在しており；
前記カムノブの前記連結部分に連結され、前記カムノブを前記第１のプレートに回動するよう連結するファスナを有することを特徴とする安全ハーネス。
【発明の詳細な説明】
【背景技術】
【０００１】
２つのストラップまたはウェビングを互いに連結する方法の１つは、バックルおよび留め具機構を利用することである。この機構では、第１のウェビングに連結されたバックルが、第２のウェビングに取り付けられた留め具を選択的に保持するよう設計されている。ウェビングを互いに選択的に連結するためにバックルおよび留め具機構を使用することは、落下防止用ハーネスといった安全ハーネスに広く利用されている。ウェビングの端部をバックルに取り付ける一般的な方法の１つが、ローレットの棒とウェビング保持部材を利用する方法である。ローレットの棒は、より一般には滑動部と称することができる。使用時の安全ハーネスの動作は、この滑動部の取付機構でウェビングを緩めてしまう傾向がある。従って、ウェビングは使用中に定期的に締め付けねばならない。滑動部の取付機構においてウェビングを緩めたり、その後に必要とされて締め付けたりすることは不便であり、ウェビングを摩耗させてしまう。落下防止用ハーネスのウェビングにおける摩耗の低減は、ハーネスの長期間性能、および安全性を最大限に高めるための厳密な嵌め合いにとって重要である。
【０００２】
上述の理由、および本明細書を読んで理解すると当該技術分野における当業者には明らかとなるであろう下記の他の理由に対し、厳密なはめ合いを維持し、バックルの滑動部と係合するウェビングの摩耗を低減させる方法が当該技術分野において必要である。
【発明の概要】
【０００３】
現行のシステムの上述の課題は本発明の実施形態によって対処され、以下の明細書を読んで検討することで理解されるであろう。以下の概要は例示としてなされており、限定することを意図しない。読者が本発明の態様の幾つかを理解するのを補助するため単に提供されている。
【０００４】
一実施形態ではバックルが提供されている。このバックルは、連結部と、滑動部と固定部材とを有する。この連結部は、第１のウェビングの係合部と選択的に係合するよう構成される。バックルの滑動部は第２のウェビングと係合するよう構成され、固定部材が第２のウェビングを滑動部に選択的に締め付けるよう構成される。
【図面の簡単な説明】
【０００５】
詳述および以下の図面を考慮すると、本発明はより簡単に理解することができ、その更なる利点および使用法も容易に明らかとなる。
【図１】図１は、本発明の一実施形態のバックルおよび留め具の正面透視図である。
【図２】図２は、図１のバックルの分解した正面透視図である。
【図３】図３は、図１のバックルの分解した背面透視図である。
【図４】図４は、一実施形態の滑動部上のウェビングと係合している固定部材を有する図１のバックルの正面図である。
【図５】図５は、図４のバックルの側面断面図である。
【図６】図６は、一実施形態の滑動部上のウェビングと係合していない固定部材を有する図１のバックルの正面図である。
【図７】図７は、図６のバックルの側面断面図である。
【図８】図８は、本発明の一実施形態における安全ハーネスの背面図である。
【図９】図９は、本発明のバックルの他の実施形態の分解した正面透視図である。
【０００６】
一般的な方法に従って、様々な記載の特徴は縮尺に従って描かれておらず、本発明に関して特定の特徴を強調するように描かれている。関連した特性は図および文章全体を通して同様の要素を指している。
【発明を実施するための形態】
【０００７】
以下の詳述では、添付の図面について説明しており、これらは本書の一部を形成し、本発明を実施できる特定の実施形態を例示するために示されている。これらの実施形態は当該技術分野における当業者が本発明を実施できるよう十分詳しく記載されており、他の実施形態を利用してもよく、本発明の概念および範囲を越えることなく機械的な変更がなされうることを理解されたい。従って、以下の詳述は限定の意味で捉えるべきではなく、本発明の範囲は特許請求の範囲およびその均等物によってのみ規定される。
【０００８】
本発明の実施形態は、ストラップが緩むのを防ぐべくストラップをバックルの滑動部に締め付けるシステムを提供している。図１を参照すると、一実施形態のバックル１００の正面組立図が図示されている。図示のように、バックル１００は、第１のプレート１０２と第２のプレート１０４を有している。第１のプレート１０２は、リベット１０６を介して第２のプレート１０４に連結される。滑動部１０８は、第１および第２のプレート１０２および１０４の間に連結される。さらに、第１のプレート１０２の開口部１３０のような第１および第２のプレートの開口部により、滑動部１０８のアクセスが可能となる。第１のプレート１０２と第２のプレート１０４の間には歯止め１１０Ａおよび１１０Ｂが挟まれており、バックル１００の連結部分を作り出している。歯止め１１０Ａおよび１１０Ｂが留め具１２０の係合端１２６に近い肩部１２４Ａおよび１２４Ｂと係合し、留め具１２０をバックル１００に固定する。特に、留め具１２０（または係合部１２０）は、歯止め１１０Ａおよび１１０Ｂの間、およびプレート１０２および１０４の間のバックル１００の隙間１２７に挿入されると係合した状態となる。この留め具１２０は一般に、係合部１２０とも称することができる。複数の実施形態では、カムノブ１１２を用いて固定プレート１１６を移動させて、滑動部１０８上のストラップ４０２（図４に図示）と選択的に係合させる。カムノブ１１２は、固定位置と解除位置の間で回転することができる。カムノブ１１２の回転は、停止部１１４Ａおよび１１４Ｂの範囲内に抑制される。カムノブ１１２の操作および構造を以下に記載する。
【０００９】
図２では、バックル１００の分解した正面透視図を示している。図示のように、第１のプレート１０２は上述した開口部１３０を有している。開口部１３０は矩形の形状である。第２のプレート１０４もまた、矩形の開口部２１２を有している。滑動部１０８は、ストラップ４０２（またはウェビング）（図４に図示）が周りに係合する円筒形の中間部分２１３を有している。滑動部１０８はさらに、第１の端部２１４Ａと第２の端部２１４Ｂを有する。図示のように、第１の端部および第２の端部２１４Ａおよび２１４Ｂはそれぞれ平らな面を有しており、第１および第２のプレート１０２および１０４が互いに連結されたときに第１のプレート１０２および第２のプレート１０４の内面と隣接する。この機構は、バックル１００のプレート１０２および１０４内に滑動部１０８を摺動するよう保持する。ローレットの棒１０８の円筒形の中間部分２１３は、第１および第２のプレート１０２および２１２それぞれの開口部１３０および２１２に収容される。一実施形態では、滑動部１０８の円筒形の中間部分２１３の表面は、摩擦を増加させるようにぎざぎざ（図示せず）を有する。
【００１０】
歯止め１１０Ａおよび１１０Ｂは、リベット１０６を介して第１のプレート１０２と第２のプレート１０４の間に回動するよう連結される。留め具１２０がバックル１００の歯止め１１０Ａおよび１１０Ｂの間の隙間１２７に挿入されると、付勢部材２０４Ａおよび２０４Ｂは、留め具１２０が係合する選択した軸回転位置にそれぞれの歯止め１１０Ａおよび１１０Ｂを付勢する。図２の実施形態では、固定部材１１６は一般に、第１の部分２３２と第２の部分２３４を有するＬ字型である。この固定部材１１６の第１の部分２３２は、概ね長円形の通路２３０を有する。第１のプレート１０２の第１の面２２１は、固定部材１１６の第１の部分２３２を収容する形状の凹部２０２を有している。固定部材１１６の第２の部分２３４は、第１のプレート１０２の開口部１３０に適合する。カムノブ１１２は、作動部分２５２と保持部分２５０を有する。保持部分２５０は、図示のようにカムノブ１１２の作動部分２５２から延在している。バックル１００の第１のプレート１０２は、凹部２０２に保持穴２０３を有している。カムノブ１１２の保持部分２５０は、第１のプレート１０２の保持穴２０３を通って延在する。ファスナ２１８はカムノブ１１２の保持部分２５０と係合し、カムノブ１１２をバックル１００に保持する。螺合システムといった他の種類のファスナシステムも考えられるが、これに限定はされない。カムノブ１１２の作動部分２５２は、固定部材１１６の長円形の通路２３０に収容される。カムノブ１１２の回転は（一実施形態では概ね長円形でもある）作動部分２５２を固定部材１１６の概ね長円形の通路２３０と係合させて、第１のプレート１０２に対して固定部材１１６を動かす。固定部材１１６の動作については、さらに以下に記載する。
【００１１】
図３は、バックル１００の分解した背面透視図である。この図は更に、バックル１００を形成すべく如何に構成要素が一体となっているかを示している。例えば、付勢部材２０４Ａは、歯止め１１０Ａの部分３０６Ａと第１のプレート１０２の凹部３０４Ａの間に配置される。同様に、付勢部材２０４Ｂは、歯止め１１０Ｂの部分３０６Ｂと第１のプレート１０２の凹部３０４Ｂの間に配置される。第１の歯止め１１０Ａおよび第２の歯止め１１０Ｂは双方とも、第１のプレートの各穴２０８および第２のプレート１０４の各穴２１０に収容される各リベット１０６の周りを回動する。上述のように、（この実施形態ではばねである）付勢部材２０４Ａおよび２０４Ｂは、それぞれの歯止め１１０Ａおよび１１０Ｂを回動するよう付勢し、図１の留め具１２０のような留め具を保持する。図３に更に示すように、第１および第２のプレート１０２および１０４の底部は、第１のプレート１０２の各穴２０６および第２のプレート１０４の各穴２１０を通過するリベット１０６によって互いに連結される。この実施形態はさらに、保持部材２１８が収容される凹部３０２を第１のプレート１０２の第２の面３１０に有する。
【００１２】
図４を参照すると、滑動部２１４に接続されたストラップまたはウェビング４０２を有するバックル１００の正面図が図示されている。図４は、固定位置にある固定部材１１６を示している。図示のように、この実施形態では、カムノブ１１２が第１のプレート１０２における停止部１１４Ｂまで回転している。これにより、固定部材１１６を滑動部１０８上のウェビング４０２の方へと摺動させる。間隙４０５は、固定プレート１１６が滑動部１０８の方へと移動していることを示している。固定位置はさらに、図５のバックル１００の断面側面図に図示されている。図示のように、固定プレート１１６の第２の部分２３４は滑動部１０８上のウェビング４０２と係合し、バックル１００のウェビング４０２が移動するのを防ぐ。特に、係合した固定プレートはストラップ４０２と、滑動部１０８および第１のプレート１０２の間の摩擦を増加させ、使用時に滑動部１０８に対してストラップ４０２が動く可能性を低下させる。図４および図５にはさらに、ウェビング保持部材４０４が図示されている。ウェビング保持部材４０４はウェビング自体と接触しているウェビング４０２の端部を保持し、バックル１００の滑動部１０８の周りにウェビング４０２を保持するよう補助する。固定部材１１６をウェビング４０２上で係合すると、ウェビング４０２が滑動部１０８およびウェビング保持部材４０４に対して緩むのを防ぐ効果がある。
【００１３】
図６は、解除位置にある固定部材１１６を示している。この正面図では、バックル１００は、滑動部１０８に接続されたウェビング４０２を有している。図示のように、この実施形態では、カムノブ１１２は第１のプレート１０２上の停止部１１４Ａまで回転する。これにより、固定部材１１６を滑動部１０８上のウェビング４０２から離す方へと移動させる。間隙６０２は、図４の間隙４０５と比較して、固定プレート１１６が滑動部１０８から離れる方へと移動していることを示している。この解除位置はさらに、図５のバックル１００の断面側面図に図示されている。図示のように、固定プレート１１６の第２の部分２３４は、滑動部１０８上のウェビング４０２と係合はしていない。
【００１４】
図８は、本発明の一実施形態の安全ハーネス５５０の背面図を示している。図示のように、安全ハーネス５５０は、ユーザの周囲に固定される複数のウェビング（または、ストラップ）を有している。特に、このウェビングは、肩ウェビング５６６Ａおよび５６６Ｂと、前部ウェビング５６８Ａおよび５６８Ｂと、後部ウェビング５７０Ａおよび５７０Ｂと、座部ウェビング５７２と、腰ウェビング５７１と、脚ウェビング５７４Ａおよび５７４Ｂとを具えている。図８の実施形態では、１つのウェビングがウェビング５６８Ａ、５６６Ａおよび５７０Ｂを形成し、１つのウェビングが５６８Ｂ、５６６Ｂおよび５７０Ａを形成する。後部パッド５６０はユーザの背中に位置する。Ｄリング５６４は、後部パッド５６０およびストラップ５７０Ａおよび５７０Ｂに接続される。このＤリング５６４は、ラニヤードまたは命綱を介してハーネス５５０を支持構造に連結するために用いられる。腰ウェビング５７１は、ユーザの腰回りに腰パッド５６２を保持する。腰ウェビング５７１には、使用時にユーザの位置を定めるために用いるＤリング５８０Ａおよび５８０Ｂが取り付けられる。複数の実施形態では、上記のバックル１００のようなバックルが選択したウェビングを接続するために使用される。特に、バックル５５２は留め具５５４に選択的に連結され、ユーザの胸部を交差してウェビングを取り付ける。バックル５５６および５５８は各留め具５５５および５５７に連結されて、ユーザの脚回りの脚ウェビング５７４Ａおよび５７４Ｂを固定する。バックル５５２、５５６および５５８は上記の固定部材１１６およびカムノブ１１２のような固定部材およびカムノブを有し、各ウェビングを滑動部１０８などの滑動部に選択的に固定する。
【００１５】
図９を参照すると、バックル９００の他の実施形態の分解した正面透視図が図示されている。この実施形態もまた、第１のプレート９０２と第２のプレート９０４を有している。滑動部９３８が、第１のプレート９０２と第２のプレート９０４の間に配置される。特に、滑動部９３８の平坦な面を有する端部９３７Ａおよび９３７Ｂは第１および第２のプレート９０２および９０４の間に摺動するよう囲まれ、滑動部９３８の中間部分９３７は第１のプレート９０２の開口部９３２および第２のプレート９０４の開口部９５６に収容される。一実施形態では、この滑動部はローレットの表面を有する。図９の実施形態はさらに、第１のプレート９０２と第２のプレート９０４の間に挟まれた中間プレート９４４を有している。中間プレート９４４は切り抜き部分９４６を有し、滑動部９３７を収容する。中間プレート９４４はさらに、第２のプレートの位置決め穴９６０に収容される位置決めピン９５４と、第１のプレート９０２の位置決め穴９６０に収容される位置決めピン９５２とを具える。歯止め９４２Ａおよび９４２Ｂは、リベット９０６によって第１および第２のプレートの間に回動するよう連結される。特に、歯止め９４２Ａおよび９４２Ｂは、第１のプレート９０２の穴９３４Ａおよび９３４Ｂ、歯止め９４２Ａおよび９４２Ｂそれぞれの穴９４３Ａおよび９４３Ｂ、および第２のプレート９０４の穴９５８Ａおよび９５８Ｂを通過するリベット９０６によって回動するよう連結される。歯止め９４２Ａは、付勢部材９４０Ａによって付勢される。特に、付勢部材９４０Ａの第１の端部は、歯止め９４２Ａの面９４１Ａおよび中間プレート９４４の面９５０Ａに係合する。歯止め９４２Ｂは、付勢部材９４０Ｂによって付勢される。特に、付勢部材９４０Ｂの第１の端部は、歯止め９４２Ｂの面９４１Ｂおよび中間プレート９４４の面９５０Ｂに係合する。付勢部材９４０Ａおよび９４０Ｂは歯止め９４２Ａおよび９４２Ｂを付勢し、図１の留め具１２０のような留め具と係合する。第１のプレート９０２、中間プレート９４４および第２のプレート９０４はさらに、リベット９０６によって共に連結される。特に、第１のプレート９０２の穴９３４Ｃ、中間プレート９４４の穴９４８Ａおよび第２のプレートの穴９５８Ｃを通過するリベット９０６と、第１のプレート９０２の穴９３４Ｄ、中間プレート９４４の穴９４８Ｂおよび第２のプレート９０４の穴９５８Ｄを通過するリベット９０６は、第１のプレート９０２、中間プレート９４４および第２のプレート９０４の下部を共に連結する。
【００１６】
図９のバックル９００はさらに、第３のプレート９１８と第４のプレート９２２を有している。第４のプレート９２２は、第３のプレート９１８と第１のプレート９０２の間に挟まれている。第４のプレート９２２は、中間プレート９４４の位置決めピン９５２を収容する位置決め穴９６０を有する。第３のプレート９１８および第４のプレート９２２は、第３のプレート９１８の穴９２０Ａおよび９２０Ｂおよび第４のプレート９２２の穴９２６Ａおよび９２６Ｂを通過するリベット９０６によって、第１のプレート９０２および第２のプレート９０４に取り付けられる。第４のプレート９２２は、第１のプレート９０２の開口部９３２の上部の周囲に配置される切り抜き部分９２１を有する。このバックル９００の実施形態はさらに、固定部材９１０を具えている。この固定部材９１０は通常、第１の部分９１４と第２の部分９１２を有するＬ字型である。第３のプレート９１８は、固定部材９１０の第１の部分９１４の形状をした切り抜き部分９１９を有している。固定部材９１０の第１の部分９１４は、第３のプレート９１８の切り抜き部分９１９に収容される。固定部材９１０の第１の部分９１４は、第４のプレート９２２の穴９２４および第１のプレート９０２の穴９３０と一直線に並んだ長円形の通路９１６を有している。カムノブ９０８は、概ね長円形の図３に示す作動部分２５２のような作動部分を有している。作動部分２５２は、固定機構９１０の第１の部分９１４の長円形の通路９１６に収容される。カムノブ９０８はさらに、作動部分２５２から延在している、図３の保持部分２５０のような保持部分を有している。カムノブ９０８の保持部分２５０は、第４のプレート９２２の穴９２４および第１のプレート９０２の穴９３０を通って収容される。ファスナ９３６はカムノブ９０８の保持部分２５０に取り付けられて、カムノブ９０８の作動部分３５２を固定部材９１０の長円形の通路９１６に保持する。
【００１７】
特定の実施形態が本書に図示および記載されているが、同一の目的を実現するよう意図された任意の構成が図示した特定の実施形態の代わりとなりうることを当該技術分野における当業者は理解するであろう。本願は、本発明の任意の改変または変形物を包含することを意図している。従って、本発明は特許請求の範囲およびその均等物によってのみ限定されることを明確に意図している。
【図１】
0005281193.tif 000002
【図２】
0005281193.tif 000003
【図３】
0005281193.tif 000004
【図４】
0005281193.tif 000005
【図５】
0005281193.tif 000006
【図６】
0005281193.tif 000007
【図７】
0005281193.tif 000008
【図８】
0005281193.tif 000009
【図９】
0005281193.tif 000010